(57)【要約】      （修正有）【課題】記録ヘッドが往復移動するとき、記録媒体の反り上がった両端部に記録ヘッドが当たり、紙ジャムが発生するのを防止する。【解決手段】記録ヘッド３５と、記録ヘッド３５と対向し、記録ヘッド３５の移動方向Ｄ１と交差する搬送方向Ｄ２に搬送される記録媒体Ｍを支持する支持面２８を有する支持部２７と、記録媒体Ｍを挟持しながら、搬送方向Ｄ２における記録ヘッド３５の上流側から支持面２８と傾斜する方向Ｄ４に送り出す第１のローラーとしての搬送駆動ローラー２４と第２のローラーとしての搬送従動ローラー２５と、記録媒体Ｍを支持部２７側に付勢する付勢部としての第１のリブ５０〜５３と、を備え、第１のリブ５０〜５３は、搬送方向Ｄ２における搬送駆動ローラー２４と搬送従動ローラー２５とによって記録媒体Ｍを挟持するニップ位置Ｎと記録ヘッド３５との間、かつ移動方向Ｄ１における限界記録領域Ｔの外側を付勢する。【選択図】図６
2012245626.tif 000002
【特許請求の範囲】
【請求項１】
往復移動する記録ヘッドと、
前記記録ヘッドと対向し、前記記録ヘッドの移動方向と交差する搬送方向に搬送される記録媒体を支持する支持面を有する支持部と、
前記記録媒体を挟持しながら、前記搬送方向における前記記録ヘッドの上流側から前記支持面に対して傾斜する方向に送り出す第１のローラーと第２のローラーと、
前記記録媒体を前記支持部側に付勢する付勢部と、を備え、
前記付勢部は、前記搬送方向における前記第１のローラーと前記第２のローラーとによって前記記録媒体を挟持するニップ位置と前記記録ヘッドとの間、かつ前記移動方向における限界記録領域の外側を付勢することを特徴とする記録装置。
【請求項２】
請求項１に記載の記録装置であって、
前記付勢部は、前記搬送方向に延設する第１のリブによって付勢することを特徴とする記録装置。
【請求項３】
請求項２に記載の記録装置であって、
さらに、前記搬送方向に延設する第２のリブを前記挟持する位置の前記搬送方向上流側に備えることを特徴とする記録装置。
【発明の詳細な説明】
【技術分野】
【０００１】
本発明は、記録装置に関する。
【背景技術】
【０００２】
往復移動する記録ヘッドを備えたプリンター、複写機、ファクシミリなどの記録装置では、支持面に沿って用紙を搬送させながら用紙に文字や画像を記録する。支持面上の用紙が湾曲したり、波状になると、用紙が支持面から浮き上がってしまうため、記録ヘッドが用紙によって擦られる。そのため、記録ヘッドのインクを吐出する面がインクで汚れたり、損傷することがある。また、用紙が支持面から浮き上がってしまうと、記録ヘッドと用紙との間の距離が変わり、用紙へのインクの着弾位置が変わることにより、用紙に形成される画像が劣化する。そこで、例えば、特許文献１では、拍車と吸着手段とを備え、記録ヘッドの直下領域部を搬送する用紙を支持面側に付勢する記録装置が開示されている。
【先行技術文献】
【特許文献】
【０００３】
【特許文献１】特開２００７−１５２７８５号公報
【発明の概要】
【発明が解決しようとする課題】
【０００４】
搬送方向における記録ヘッドの上流側から支持面に対して用紙を斜め方向から搬送させ、支持面上においては用紙が浮き上がらないようにすることが行われる。しかしながら、封筒やボード紙などの剛性の高い記録媒体を搬送方向における記録ヘッドの上流側から支持面に対して斜め方向から搬送させると、記録ヘッドの移動方向における記録媒体の両端部が記録ヘッド側に反り上がることがある。そのため、記録ヘッドが往復移動するとき、記録媒体の反り上がった両端部に記録ヘッドが当たってしまい、紙ジャムが発生するという課題がある。
【課題を解決するための手段】
【０００５】
本発明は、上述の課題の少なくとも一部を解決するためになされたものであり、以下の形態または適用例として実現することが可能である。
【０００６】
［適用例１］往復移動する記録ヘッドと、前記記録ヘッドと対向し、前記記録ヘッドの移動方向と交差する搬送方向に搬送される記録媒体を支持する支持面を有する支持部と、前記記録媒体を挟持しながら、前記搬送方向における前記記録ヘッドの上流側から前記支持面に対して傾斜する方向に送り出す第１のローラーと第２のローラーと、前記記録媒体を前記支持部側に付勢する付勢部と、を備え、前記付勢部は、前記搬送方向における前記第１のローラーと前記第２のローラーとによって前記記録媒体を挟持するニップ位置と前記記録ヘッドとの間、かつ前記移動方向における限界記録領域の外側を付勢することを特徴とする記録装置。
【０００７】
本適用例によれば、付勢部は、移動方向における限界記録領域の外側を付勢する。これにより、記録ヘッドの移動方向における記録媒体の両端部を支持部側に付勢することができる。そのため、記録ヘッドの移動方向における記録媒体の両端部が記録ヘッド側に反り上がることが抑制される。そのため、記録ヘッドが往復移動するとき、記録媒体の反り上がった両端部に記録ヘッドが当たってしまうことにより紙ジャムが発生することを抑制できる。
【０００８】
［適用例２］前記付勢部は、前記搬送方向に延設する第１のリブによって付勢することを特徴とする上記記録装置。
【０００９】
本適用例によれば、付勢部と記録媒体とが当接する面積を小さくできるので、付勢部と記録媒体との摩擦抵抗を小さくできる。
【００１０】
［適用例３］さらに、前記搬送方向に延設する第２のリブを前記挟持する位置の前記搬送方向上流側に備えることを特徴とする上記記録装置。
【００１１】
本適用例によれば、第２のリブと記録媒体とが当接する面積を小さくできるので、記録媒体が搬送経路に沿って搬送されるときの摩擦抵抗を小さくできる。
【図面の簡単な説明】
【００１２】
【図１】インクジェットプリンターの外観斜視図。
【図２】記録部の構成を模式的に示した図。
【図３】ホルダーの斜視図。
【図４】ホルダーの移動方向における一端部を拡大した斜視図。
【図５】ホルダーと記録媒体を模式的に示す図。
【図６】搬送駆動ローラーと搬送従動ローラーとによって記録媒体が送り出される様子を説明する図。
【図７】比較例における、搬送駆動ローラーと搬送従動ローラーとによって記録媒体が送り出される様子を説明する図。
【発明を実施するための形態】
【００１３】
以下、本発明の実施形態について、図面を参照して説明する。
（実施形態）
図１は、本実施形態の記録装置の一例であるインクジェットプリンター１（以降は、プリンターという）を、正面側から見た外観斜視図である。プリンター１には、記録部３と、記録部３の鉛直方向における上側に配置されたスキャナー部２とが備えられる。
【００１４】
プリンター１の正面側には、電源のオン・オフ操作や、印刷条件の設定操作などを行うための操作パネルユニット４が備えられる。また、操作パネルユニット４には、印刷条件の設定内容や操作内容を表示するため、液晶パネルなどによって構成された表示部１０が備えられる。
【００１５】
スキャナー部２には、載置台７に載置された原稿（不図示）をスキャナー部２に給紙する原稿搬送装置８が備えられる。スキャナー部２には、透明な原稿台（不図示）やイメージセンサーなどを搭載した読取部（不図示）などが備えられ、スキャナー部２は、読取部によって、原稿台上に給紙された原稿に描かれた画像を読取り、画像データを取得する。その後、原稿搬送装置８は、原稿をスタッカー９に送って排出する。
【００１６】
プリンター１の正面側には、使用者によって引き出し可能な用紙カセット５が備えられ、用紙カセット５には、記録媒体としての用紙（不図示）が収納される。また、プリンター１の背面側には、図示しない用紙や封筒やボード紙などの記録媒体を載置する記録媒体サポート６を含んで構成される給紙装置が備えられ、記録媒体サポート６に載置された記録媒体は、給紙装置によって記録部３に給紙される。
【００１７】
プリンター１は、用紙カセット５に収納された用紙または記録媒体サポート６に載置された用紙、封筒、ボード紙などの記録媒体を記録部３内部に給紙し、記録媒体に画像を形成し、開口部１２から排紙する。排紙された記録媒体は、トレイ１３およびトレイ１３から使用者によって引き出されたスタッカー１４に載置される。
【００１８】
使用者は、取手部１５を持って、正面カバー１１を矢印の方向に回動させ、インクが収容されたインクカートリッジ（不図示）を交換したり、紙ジャムなどによって搬送経路（不図示）に残った記録媒体を取り出したりすることができる。
【００１９】
続いて、記録部３における搬送経路について概説する。図２は、記録部３の構成を模式的に示した図である。
【００２０】
記録部３は２つの搬送経路を備えており、１つは装置下部に設けられた用紙カセット５からの搬送経路であり、他の１つは装置背面側（図２における右側）に設けられた支持部材２２からの搬送経路である。破線Ｐ１は用紙カセット５から送り出される用紙の通過軌跡を示し、破線Ｐ２は支持部材２２から送り出される記録媒体の通過軌跡を示す。
【００２１】
給送ローラー１８は、実線と仮想線（符号１８’）で示す様に用紙カセット５に対し進退可能に設けられ、用紙カセット５に収容された用紙（不図示）の最上位のものと接して回転することで、最上位の用紙を大径の反転ローラー２０側に送り出す。送り出された用紙は、反転ローラー２０によって湾曲反転させられた後、第１のローラーとしての搬送駆動ローラー２４及び第２のローラーとしての搬送従動ローラー２５に到達する。分離ローラー２１は、反転ローラー２０との間で用紙をニップすることにより用紙の分離を行う。
【００２２】
支持部材２２は、記録媒体を傾斜姿勢に支持するとともに、上部の図示しない揺動軸を中心に揺動することで、支持している記録媒体の最上位のものを給送ローラー２９に圧接させる。給送ローラー２９は回転することにより、圧接している記録媒体を下流側へ送り出す。分離ローラー２３は、給送ローラー２９との間で記録媒体をニップすることにより記録媒体の分離を行う。
【００２３】
搬送駆動ローラー２４及び搬送従動ローラー２５は、記録媒体を搬送するローラー対である。記録媒体の搬送方向（以降は、搬送方向という）Ｄ２における搬送駆動ローラー２４及び搬送従動ローラー２５の下流側には、インクジェット式の記録ヘッド３５と、搬送される記録媒体を支持する支持面２８を有する支持部２７と、が鉛直方向Ｄ３に対向配置されている。
【００２４】
搬送従動ローラー２５は、ホルダー２６に備えられている。ホルダー２６の用紙カセット５側は、通過軌跡Ｐ１，Ｐ２に面する搬送経路を形成し、記録媒体を搬送方向Ｄ２下流側に案内する。
【００２５】
記録ヘッド３５は、搬送方向Ｄ２と直交する移動方向Ｄ１に往復移動可能なキャリッジ３４の底部に設けられ、移動方向Ｄ１に移動しながら記録媒体に対してインクを吐出することにより記録を行う。
【００２６】
記録ヘッド３５の搬送方向Ｄ２下流側において、従動ローラー３９は、記録媒体の浮き上がりを防止し、排出駆動ローラー４０と排出従動ローラー４１とは、記録媒体を挟持しながら回転することにより記録媒体をトレイ１３に排出する。本実施形態において、排出駆動ローラー４０はゴムローラーで形成され、従動ローラー３９及び排出従動ローラー４１は外周に多数の歯を有するギザローラーで構成されている。
【００２７】
尚、プリンター１は、おもて面（第１面）に記録の行われた記録媒体をトレイ１３に向けて排出せずに、バックフィードして反転ローラー２０により湾曲反転させることで、うら面（第２面）への記録が可能となっている。
【００２８】
図３は、ホルダー２６の図２の用紙カセット５側から見た斜視図である。図３のホルダー２６の搬送方向Ｄ２下流側には、複数の搬送従動ローラー２５が移動方向Ｄ１に並んで備えられる。
【００２９】
図３の搬送従動ローラー２５の搬送方向Ｄ２下流側には、搬送方向Ｄ２に延設する複数のリブ５８が移動方向Ｄ１に並んで備えられる。また、搬送従動ローラー２５の搬送方向Ｄ２上流側には、搬送方向Ｄ２に延設する複数のリブ５９が移動方向Ｄ１に並んで備えられる。
【００３０】
リブ５８，５９は、移動方向Ｄ１における限界記録領域Ｔの範囲内に設けられる。限界記録領域Ｔは、支持面２８において図２の記録ヘッド３５からインクを噴射して画像を形成する最大の記録領域であり、移動方向Ｄ１における最大幅である。従って、限界記録領域Ｔは、搬送される記録媒体の移動方向Ｄ１における位置に依存しない、支持面２８に対する位置の範囲である。
【００３１】
リブ５８，５９は、用紙カセット５側に突出して設けられているので、記録媒体が搬送方向Ｄ２に搬送されるとき、記録媒体がリブ５８，５９に当接し、搬送方向Ｄ２に案内される。
【００３２】
図３の搬送従動ローラー２５の搬送方向Ｄ２下流側で、限界記録領域Ｔの外側には、搬送方向Ｄ２に延設する第１のリブ５０，５１，５２，５３が移動方向Ｄ１に並んで備えられる。また、搬送従動ローラー２５の搬送方向Ｄ２上流側で、限界記録領域Ｔの外側には、搬送方向Ｄ２に延設する第２のリブ５４，５５，５６，５７が移動方向Ｄ１に並んで備えられる。
【００３３】
図４は、ホルダー２６の移動方向Ｄ１における一端部を拡大した斜視図である。第１のリブ５２と第２のリブ５６の間および第１のリブ５３と第２のリブ５７の間には、搬送方向Ｄ２に延設する突出部６０，６１がそれぞれ形成されている。
【００３４】
突出部６０，６１は、搬送方向Ｄ２における搬送従動ローラー２５の位置に形成されている。突出部６０，６１が突出する高さは、搬送従動ローラー２５の外周面の高さより低いので、記録媒体が搬送されるとき、記録媒体が突出部６０，６１に当接せずに、記録媒体は搬送従動ローラー２５によって案内される。
【００３５】
図５は、ホルダー２６を用紙カセット５側から見た図で、ホルダー２６と記録媒体Ｍを模式的に示す図である。前述したように、第１のリブ５０〜５３及び第２のリブ５４〜５７は、ホルダー２６の移動方向Ｄ１における限界記録領域Ｔの範囲外である両端部に設けられる。
【００３６】
第１のリブ５０〜５３は、本実施形態における付勢部を構成する。第１のリブ５０〜５３は、図２の鉛直方向Ｄ３における支持部２７側に突出して設けられている。図５の記録媒体Ｍが搬送方向Ｄ２に搬送されるとき、第１のリブ５０〜５３は、記録媒体Ｍの移動方向Ｄ１における両端部に当接し、図２の鉛直方向Ｄ３における支持部２７側に付勢する。
【００３７】
図５の記録媒体Ｍが搬送方向Ｄ２に搬送されるとき、第２のリブ５４〜５７は、記録媒体Ｍの移動方向Ｄ１における両端部に当接し、記録媒体Ｍを図２の搬送駆動ローラー２４及び搬送従動ローラー２５側に案内する。
【００３８】
図６は、移動方向Ｄ１から見た図で、搬送駆動ローラー２４と搬送従動ローラー２５とによって封筒やボード紙などの剛性の高い記録媒体Ｍが送り出される様子を説明する図である。搬送駆動ローラー２４及び搬送従動ローラー２５は、記録ヘッド３５の搬送方向Ｄ２における上流側に備えられる。
【００３９】
破線Ｂは、搬送駆動ローラー２４と搬送従動ローラー２５とによって記録媒体Ｍを挟持する位置Ｎを通り、支持部２７の支持面２８の延長線Ｃに対して垂直に交わる垂線を示す。一点鎖線Ａは、搬送駆動ローラー２４の回転中心と搬送従動ローラー２５の回転中心を結ぶ中心線を示す。搬送駆動ローラー２４と搬送従動ローラー２５とは、中心線Ａが垂線Ｂに対して傾斜するように備えられる。また、位置Ｎは、支持面２８より記録ヘッド３５側に位置する。
【００４０】
これにより、搬送駆動ローラー２４と搬送従動ローラー２５とは、記録ヘッド３５の搬送方向Ｄ２における上流側から、記録媒体Ｍを支持面２８に対して傾斜する方向Ｄ４に送り出す。そのため、搬送駆動ローラー２４及び搬送従動ローラー２５の回転に伴って、記録媒体Ｍの搬送方向Ｄ２下流側の端部が支持面２８に当接した後、記録媒体Ｍは支持面２８に対して押しつけられるようにして搬送される。
【００４１】
これにより、記録媒体Ｍは記録ヘッド３５の搬送方向Ｄ２上流側で湾曲し、記録ヘッド３５と対向する位置では、支持面２８に沿って搬送されるので、支持面２８から浮き上がることが抑制される。
【００４２】
矢印Ｎで示す位置は、搬送駆動ローラー２４と搬送従動ローラー２５とによって記録媒体Ｍを回転しながら挟持するニップ位置を示す。ホルダー２６に備えられた第１のリブ５０〜５３は、搬送方向Ｄ２におけるニップ位置Ｎより下流側で記録ヘッド３５より上流側、かつ移動方向Ｄ１における限界記録領域Ｔの外側の記録媒体Ｍの位置を付勢する（図５参照）。
【００４３】
これにより、記録媒体Ｍの移動方向Ｄ１における両端部が記録ヘッド３５側に反り上がることが抑制される。
【００４４】
また、ホルダー２６に備えられた第２のリブ５４〜５７が記録媒体Ｍの移動方向Ｄ１における両端部に当接し、記録媒体Ｍをニップ位置Ｎに案内する。
【００４５】
（比較例）
図７は、比較例において、移動方向Ｄ１から見た図で、搬送駆動ローラー２４と搬送従動ローラー２５とによって記録媒体Ｍが送り出される様子を説明する図である。図７は、本実施形態で説明した図６から第１のリブ５０〜５３と第２のリブ５４〜５７とを取り除いたものである。
【００４６】
比較例では、第１のリブ５０〜５３と第２のリブ５４〜５７とがホルダー２６に設けられていない。そのため、封筒などの剛性の高い記録媒体Ｍを、搬送駆動ローラー２４と搬送従動ローラー２５とによって、支持面２８に対して傾斜する方向Ｄ４に送り出すと、移動方向Ｄ１における記録媒体Ｍの両端部が記録ヘッド３５側に反り上がってしまい、紙ジャムを発生してしまうことがある。
【００４７】
以上、本実施形態で説明したプリンター１は、図６の往復移動する記録ヘッド３５と、記録ヘッド３５と対向し、記録ヘッド３５の移動方向Ｄ１と交差する搬送方向Ｄ２に搬送される記録媒体Ｍを支持する支持面２８を有する支持部２７と、記録媒体Ｍを挟持しながら、搬送方向Ｄ２における記録ヘッド３５の上流側から支持面２８に対して傾斜する方向Ｄ４に送り出す第１のローラーとしての搬送駆動ローラー２４と第２のローラーとしての搬送従動ローラー２５と、記録媒体Ｍを支持部２７側に付勢する付勢部としての第１のリブ５０〜５３と、を備える。
【００４８】
そして、第１のリブ５０〜５３は、搬送方向Ｄ２における搬送駆動ローラー２４と搬送従動ローラー２５とによって記録媒体Ｍを挟持するニップ位置Ｎと記録ヘッド３５との間、かつ移動方向Ｄ１における限界記録領域Ｔの外側（図５参照）を付勢する。
【００４９】
この構成によれば、封筒やボード紙などの剛性の高い記録媒体Ｍの移動方向Ｄ１における両端部が記録ヘッド３５側に反り上がることが抑制される。そのため、記録ヘッド３５が往復移動するとき、記録媒体Ｍの反り上がった両端部に記録ヘッド３５が当たることにより紙ジャムが発生することを抑制できる。
【００５０】
また、付勢部は、搬送方向Ｄ２に延設する第１のリブ５０〜５３によって構成される。これにより、付勢部と記録媒体とが当接する面積を小さくできるので、第１のリブ５０〜５３と記録媒体Ｍとの摩擦抵抗を小さくできる。
【００５１】
また、さらに、搬送方向Ｄ２に延設する第２のリブ５４〜５７を、記録媒体を挟持する位置Ｎの搬送方向Ｄ２上流側に備え、第２のリブ５４〜５７によって記録媒体Ｍを支持部２７側に付勢する。
【００５２】
この構成によれば、第２のリブ５４〜５７と記録媒体Ｍとが当接する面積を小さくできるので、記録媒体Ｍが搬送経路に沿って搬送されるときの摩擦抵抗を小さくできる。
【符号の説明】
【００５３】
２４…搬送駆動ローラー、２５…搬送従動ローラー、２７…支持部、２８…支持面、３５…記録ヘッド、５０〜５３…第１のリブ、５４〜５７…第２のリブ、Ｄ１…移動方向、Ｄ２…搬送方向、Ｄ４…傾斜する方向、Ｍ…記録媒体、Ｎ…ニップ位置。
【図１】
2012245626.tif 000003
【図２】
2012245626.tif 000004
【図３】
2012245626.tif 000005
【図４】
2012245626.tif 000006
【図５】
2012245626.tif 000007
【図６】
2012245626.tif 000008
【図７】
2012245626.tif 000009